(57)【要約】      （修正有）【課題】部品点数を削減するとともに、端子の取付け作業を円滑・容易に行うことが可能なテレビ端子を提供する。【解決手段】テレビ端子１は、テレビ信号が入力される入力端子１１と入力されたテレビ信号を出力する出力端子１２とが別方向に突出形成された金属製の端子本体１０と、端子本体が止め輪を用いて回動可能に、かつ、抜脱不能に取付けられる合成樹脂製の端子台２０とを備え、端子台には底面に端子本体の出力端子が挿通される挿通孔を形成した円筒状の凹部を凹設し、凹部の底面近傍上部には止め輪を挿入するための挿入部を開口するとともに、挿入部の開口端である底面上部には所定角度で後方へ傾斜する接触部を形成し、凹部底面の挿通孔に端子本体の出力端子を挿通し、出力端子の基端側に挿入部から挿入した止め輪を嵌着することで、底面を端子本体と止め輪との間で挟持するとともに、端子本体を接触部と接触させながら回動可能に構成する。【選択図】図１
0003230630.tif 000002
【実用新案登録請求の範囲】
【請求項１】
テレビ信号が入力される入力端子と入力されたテレビ信号を出力する出力端子とが別方向に突出形成された金属製の端子本体と、
前記端子本体が止め輪を用いて回動可能に、かつ、抜脱不能に取付けられる合成樹脂製の端子台とを備え、
前記端子台には底面に前記端子本体の出力端子が挿通される挿通孔を形成した円筒状の凹部を凹設し、
前記凹部の底面近傍上部には前記止め輪を挿入するための挿入部を開口するとともに、前記挿入部の開口端である底面上部には所定角度で後方へ傾斜する接触部を形成し、
前記凹部底面の挿通孔に端子本体の出力端子を挿通し、当該出力端子の基端側に前記挿入部から挿入した止め輪を嵌着することで、前記底面を前記端子本体と止め輪との間で挟持するとともに、前記端子本体を接触部と接触させながら回動可能に構成したことを特徴とするテレビ端子。
【請求項２】
前記入力端子は、出力端子に対して垂直となる位置、水平となる位置、もしくは前記両位置の間における任意の位置のいずれかに突出形成するようにしたことを特徴とする請求項１記載のテレビ端子。
【請求項３】
前記端子本体の前面には突部を形成するとともに、前記凹部の底面には挿通孔と連接して前記突部が係合する係合部を所定の角度範囲で設けるようにしたことを特徴とする請求項１または２に記載のテレビ端子。
【考案の詳細な説明】
【技術分野】
【０００１】
本考案は、室内の壁面に取付けられて、テレビアンテナ等からの信号を、テレビ等の受信機器に出力するために使用されるテレビ端子に関する。
【背景技術】
【０００２】
テレビアンテナ等からの信号をテレビ等の受信機器に出力するために使用されるテレビ端子は、室内の壁面に埋設されたスイッチボックスに取付けられているのが一般的であるが、前記スイッチボックス内は非常に狭いスペースであるため、テレビアンテナ等からの同軸ケーブルの取り回しや接続作業が面倒であるとともに、同軸ケーブルの引き込み口がスイッチボックス上面または下面の中央部から左または右にずれた位置に設けられているため、前記テレビ端子の入力端子と前記引き込み口との間にもずれが生じることで前記同軸ケーブルに屈曲部が形成され、これにより芯線や編組線が破損する等してテレビ信号の伝達に悪影響を及ぼす等といった問題があった。
【０００３】
このため、例えば特許文献１ないし３に示すように、テレビアンテナ等からの同軸ケーブルが接続される端子を回動可能に構成して、前記の問題を解決するようにしている。
即ち、特許文献１に記載されているテレビ端子は、テレビ信号が入力される入力端子と、入力されたテレビ信号を出力するとともに前記入力端子に対してほぼ垂直方向に配置された出力端子と、前記両端子を接続固定する端子本体と、前記端子本体を固定する取付枠と、Ｏリングを介して前記端子本体を取付枠に回動可能に取付けるナットとを備えて構成されている。
【０００４】
また、特許文献２に記載されているテレビ端子は、電子部品等を収納する空間を有する筐体と、筐体の背面側に回動可能に取付けられたＬ字型の入力端子及び出力端子と、筐体の正面側に設けられたアウトレット端子と、筐体の正面側にアウトレット端子が露出した状態となるように取付けられる端子台とを備えており、前記入力端子及び出力端子は、接続端に形成された鍔部と筐体の外面との間に皿バネを配置した状態で、前記鍔部よりも先端側の部分を筐体に形成された取付孔に挿入し、前記筐体内において溝部に係止片を取付けることにより、前記筐体に対して回動可能に取付けられている。
【０００５】
更に、特許文献３に記載されているテレビ端子は、出力端子を形成した筐体に、前記出力端子と直角方向を向いた組付部を設け、前記組付部との間に波形ワッシャを配置した状態で入力端子を組み込み、かつ、筐体のかしめ部をかしめることにより、前記入力端子を筐体に対して回動可能に取付けるようにしている。
【先行技術文献】
【特許文献】
【０００６】
【特許文献１】特許第４３６２３８５号公報
【特許文献２】特許第４７８９８５８号公報
【特許文献３】特許第６２１１３９７号公報
【考案の概要】
【考案が解決しようとする課題】
【０００７】
然るに、特許文献１ないし３に記載されているテレビ端子においては、取付枠と端子本体との間、あるいは、筐体と入力端子との間にＯリングや皿バネ、波形ワッシャ等の弾性部材を介在させるようにしているため、部品点数が増加するという問題があった。
また、特許文献１に記載されているテレビ端子においては、端子本体を取付枠に取付ける際にナットの締付作業が必要であり、特許文献３に記載されているテレビ端子においては、入力端子を筐体に取付ける際にかしめ作業が必要であるため、手間が掛かるという問題もあった。
【０００８】
本考案は前記種々の問題点に鑑み、部品点数を削減するとともに、端子の取付け作業を円滑・容易に行うことが可能なテレビ端子の提供を目的とする。
【課題を解決するための手段】
【０００９】
前記の課題を解決するために、本考案のテレビ端子は、テレビ信号が入力される入力端子と入力されたテレビ信号を出力する出力端子とが別方向に突出形成された金属製の端子本体と、前記端子本体が止め輪を用いて回動可能に、かつ、抜脱不能に取付けられる合成樹脂製の端子台とを備え、前記端子台には底面に前記端子本体の出力端子が挿通される挿通孔を形成した円筒状の凹部を凹設し、前記凹部の底面近傍上部には前記止め輪を挿入するための挿入部を開口するとともに、前記挿入部の開口端である底面上部には所定角度で後方へ傾斜する接触部を形成し、前記凹部底面の挿通孔に端子本体の出力端子を挿通し、当該出力端子の基端側に前記挿入部から挿入した止め輪を嵌着することで、前記底面を前記端子本体と止め輪との間で挟持するとともに、前記端子本体を接触部と接触させながら回動可能に構成した。
また、前記入力端子は、出力端子に対して垂直となる位置、水平となる位置、もしくは前記両位置の間における任意の位置のいずれかに突出形成するとよい。
更に、前記端子本体の前面には突部を形成するとともに、前記凹部の底面には挿通孔と連接して前記突部が係合する係合部を所定の角度範囲で設けるようにしてもよい。
【考案の効果】
【００１０】
本考案のテレビ端子は、端子本体が取付けられる端子台の凹部底面上部に、所定角度で後方へ傾斜する接触部を形成し、前記端子本体を端子台に取付けた際に、前記接触部の弾性を利用して常に一定の力で接触させるようにしたので、前記端子本体と端子台との間にＯリングや皿バネ、波形ワッシャ等の弾性部材を介在させる必要がなくなり、部品点数の削減が可能となる。また、前記端子本体は接触部と一定の力で接触することにより、所定の抵抗力を付与した状態で回動させることが可能となる。
また、端子本体を端子台に取付けるに当っては、前記端子台の凹部底面近傍上部に設けた挿入部から止め輪を挿入し、前記凹部内に突出する端子本体の出力端子の基端側外周に嵌着するだけでよく、しかも、前記挿入部の開口端は所定角度で後方へ傾斜する接触部を形成することにより拡開されているので、止め輪の挿入に支障を来たすことがなく、取付け作業を円滑・容易に行うことが可能となる。
更に、前記入力端子は、出力端子に対して水平となる位置、垂直となる位置、もしくは前記両位置の間における任意の位置に突出形成することができるとともに、端子本体の回動範囲も任意に設定することができるので、利便である。
【図面の簡単な説明】
【００１１】
【図１】（ａ）は本考案のテレビ端子を正面側から見た斜視図、（ｂ）は同じく背面側から見た斜視図である。
【図２】（ａ），（ｂ）は本考案のテレビ端子を構成する端子本体を示す斜視図、（ｃ）は同じく分解斜視図、（ｄ）は同じく断面図、（ｅ）は同じく正面図である。
【図３】（ａ），（ｂ）は本考案のテレビ端子を構成する端子台を示す斜視図、（ｃ）は同じく平面図、（ｄ）は同じく背面図、（ｅ）は同じく断面図、（ｆ）は同じく要部拡大断面図である。
【図４】（ａ）は本考案のテレビ端子を組立てる前の断面図、（ｂ）は同じく組立て後の断面図、（ｃ）は同じく組立て後の要部拡大断面図である。
【図５】本考案のテレビ端子の動作を示す図である。
【図６】本考案のテレビ端子を構成する端子本体及び端子台の他の実施形態を示す図である。
【図７】本考案のテレビ端子を構成する端子本体の筐体の他の実施形態を示す図である。
【図８】本考案のテレビ端子を構成する端子本体の筐体の更に他の実施形態を示す図である。
【考案を実施するための形態】
【００１２】
以下、本考案を実施するための形態について、図１ないし図８を参照しながら具体的に説明する。
図１は本考案のテレビ端子１を示す斜視図である。前記テレビ端子１は、テレビ信号が入力される入力端子１１と入力されたテレビ信号を出力する出力端子１２とが別方向に突出形成された金属製の端子本体１０と、前記端子本体１０がＥ形リング等の止め輪３０（図４参照）を用いて回動可能に、かつ、抜脱不能に取付けられる合成樹脂製の端子台２０とを備えて構成されている。以下、前記端子本体１０及び端子台２０の詳細な構造について説明する。
【００１３】
図２は端子本体１０を示す図であり、（ａ），（ｂ）は端子本体１０の斜視図、（ｃ）は同じく分解斜視図、（ｄ）は同じく断面図、（ｅ）は同じく正面図である。
前記端子本体１０は、図２に示すように、下面に入力端子１１を突出形成するとともに、前面に出力端子１２を突出形成した金属製の筐体１３と、前記筐体１３の上部に設けた開口部１３ａから内部に収納されるプリント基板１４と、前記筐体１３の開口部１３ａを閉塞する金属製の蓋体１５とを備えて構成されており、側面視（図２（ｄ）参照）において前記入力端子１１は出力端子１２に対して垂直な状態となっているとともに、正面視（図２（ｅ）参照）において前記入力端子１１と出力端子１２の軸位置は一致する状態（同一軸線上の位置）となっている。
前記入力端子１１は、金属製の中心導体１１ａと、前記中心導体１１ａが収納される合成樹脂製の絶縁部材１１ｂと、前記筐体１３の下面から一体的に突設され、前記絶縁部材１１ｂが挿嵌される円筒状の外部導体１１ｃから構成されるとともに、前記出力端子１２は、金属製の中心導体１２ａと、前記中心導体１２ａが収納される合成樹脂製の絶縁部材１２ｂと、前記筐体１３の前面から一体的に突設され、前記絶縁部材１２ｂが挿嵌される円筒状の外部導体１２ｃから構成される。また、前記中心導体１１ａ，１２ａを、それぞれ前記筐体１３内に収納されたプリント基板１４の配線パターンに接続して電気的に接続することにより、入力端子１１から入力されたテレビ信号が出力端子１２から出力可能となる。
なお、前記筐体１３前面には、出力端子１２の基端側下部位置に突部１６が形成されており、また、前記出力端子１２の基端側外周には、止め輪３０（図４参照）が嵌着される所定幅の溝部１７が形成されている。
【００１４】
図３は端子台２０を示す図であり、（ａ），（ｂ）は端子台２０の斜視図、（ｃ）は同じく平面図、（ｄ）は同じく背面図、（ｅ）は同じく断面図、（ｆ）は同じく要部拡大断面図である。
前記端子台２０は合成樹脂からなり、図３に示すように、矩形状の前面板２０ａと、その４辺に設けた側板２０ｂとを備えて矩形の箱状に形成されている。
前記前面板２０ａの中央部には円筒状の凹部２１が凹設されており、前記凹部２１の底面には端子本体１０の出力端子１２を挿通するための挿通孔２２が、前記出力端子１２よりも若干径大に形成されている。また、前記挿通孔２２の下部側には、当該挿通孔２２と連接して所定の角度範囲で係合部２３が凹設されており、前記係合部２３には、前記挿通孔２２に出力端子１２を挿通した際に、前記出力端子１２の基端側下部位置に設けた突部１６が係合し、前記突部１６が係合部２３の端部２３ａ，２３ｂと当接することにより、前記端子本体１０の回動が規制される。
前記端子台２０の上部の側板２０ｂには、その後端中央部に切欠部２６を設けるとともに、前記切欠部２６と合致する凹部２１の底面近傍上部には、当該凹部２１内に止め輪３０（図４参照）を挿入するための挿入部２４が開口されている。また、前記挿入部２４の開口端（凹部２１から切離されて自由端となっている底面上部）には、所定角度αで後方へ傾斜する接触部２５が形成されており、端子台２０に端子本体１０を取付けた際に、弾性を利用して前記端子本体１０の前面と一定の力で接触する。
なお、端子台２０の左右の側板２０ｂには、当該端子台２０を図示しない壁内に設けられたスイッチボックスに固定するための固定部２７が形成されている。
【００１５】
次に、図４を参照しながら、本考案のテレビ端子１を組立てる場合について説明する。
はじめに、端子本体１０は、あらかじめ入力端子１１及び出力端子１２の外部導体１１ｃ，１２ｃに、中心導体１１ａ，１２ａを収納した絶縁部材１１ｂ，１２ｂをそれぞれ挿嵌するとともに、前記中心導体１１ａ，１２ａを筐体１３内に収納したプリント基板１４の配線パターンにそれぞれ接続して電気的に接続した後、前記筐体１３の開口部１３ａを蓋体１５により閉塞した状態に組み立てておく。
つづいて、前記のように組み立てた端子本体１０の出力端子１２を、図４（ａ）に示すように、端子台２０の背面（後方）から凹部２１の底面に設けた挿通孔２２に挿通すると同時に、前記端子本体１０の前面に形成した突部１６を、前記挿通孔２２と連接するように凹設した係合部２３に係合させた状態で、前記端子本体１０の前面を凹部２１の底面と当接させる。この際、前記凹部２１の底面近傍上部に開口した挿入部２４の開口端には、所定角度αで後方へ傾斜する接触部２５が形成されているが、前記接触部２５は、端子台２０自体が合成樹脂により形成され、かつ、前記凹部２１から切離されて自由端となっているため弾性を有しており、前記端子本体１０の前面を凹部２１の底面へ当接させると、前記接触部２５は図４（ｂ），（ｃ）に示すように前方へ押圧される。
そして、前記の状態で、端子台２０の上部の側板２０ｂに凹設した切欠部２６及び前記切欠部２６と合致する凹部２１の底面近傍上部に開口した挿入部２４を通過させて止め輪３０を前記凹部２１内に挿入し、前記凹部２１内に突出する出力端子１２の基端側外周に設けた溝部１７に嵌着すると、前記端子本体１０は前記止め輪３０との間に凹部２１の底面を挟持させた状態で端子台２０に対して回動可能に、かつ、抜脱不能に取付けられる。また、前記接触部２５は弾性により元の状態（後方へ傾斜した状態）に復帰しようとするため、前記端子本体１０の前面に対して常に一定の力で接触した状態に保持される。
【００１６】
以上のように、本考案のテレビ端子１は、端子本体１０が取付けられる端子台２０の凹部２１底面上部に、所定角度αで後方へ傾斜する接触部２５を形成し、前記端子本体１０を端子台２０に取付けた際に、前記接触部２５の弾性を利用して常に一定の力で接触させるようにしたので、前記端子本体１０と端子台２０との間にＯリングや皿バネ、波形ワッシャ等の弾性部材を介在させる必要がなくなり、部品点数の削減が可能となる。また、前記端子本体１０は接触部２５と一定の力で接触することにより、所定の抵抗力を付与した状態で回動させることが可能となる。
また、端子本体１０を端子台２０に取付けるに当っては、前記端子台２０の凹部２１底面近傍上部に設けた挿入部２４から止め輪３０を挿入し、前記凹部２１底面に形成した挿通孔２２に挿通されて前記凹部２１内に突出する端子本体１０の出力端子１２の基端側外周に設けた溝部１７に嵌着するだけでよく、しかも、前記挿入部２４の開口端は所定角度αで後方へ傾斜する接触部２５を形成することにより拡開されており、前記端子本体１０を端子台２０の凹部２１底面に当接させることにより接触部２５が前方へ押圧されても前記挿入部２４の開口端を閉塞することがないので、止め輪３０の挿入に支障を来たすことなく、組立作業を円滑・容易に行うことが可能となる。
更に、前記端子本体１０の前面に形成した突部１６を、前記端子台２０の凹部２１底面に挿通孔２２と連接して所定角度範囲で凹設した係合部２３に係合させるようにしたので、前記端子本体１０は接触部２５と接触させながら、図５に示すように、前記突部１６が係合部２３の端部２３ａ，２３ｂと当接する範囲で回動させることができる。
【００１７】
なお、本考案においては、端子本体１０の前面に突部１６を設けるとともに、端子台２０の凹部２１底面に形成した挿通孔２２と連接して、前記突部１６が係合する係合部２３を凹設することにより、前記端子本体１０の回動範囲を規制するようにしているが、回動範囲を規制する必要がない場合には、図６に示すように、前記端子本体１０及び端子台２０には突部１６及び係合部２３を設けないようにしてもよい。また、前記突部１６を設けない場合でも、係合部２３は設けたままであってもよい。前記のように突部１６及び係合部２３を設けないようにすれば、前記端子本体１０を３６０°自由に回動させることが可能となる。
また、端子本体１０の筐体１３に突出形成した入力端子１１は出力端子１２に対して垂直な状態となるようにしているが、図７（ａ）に示すように、前記入力端子１１は出力端子１２に対して水平な状態となるように、前記出力端子１２と相反する方向へ突出形成するようにしてもよいし、図７（ｂ）に示すように、出力端子１２に対して水平となる位置（図７（ａ）の状態）と垂直となる位置（図２（ｄ）の状態）との間における任意の位置に突出形成するようにしてもよい。
更に、端子本体１０の筐体に突出形成した入力端子１１と出力端子１２とは、正面視においてその軸位置が一致する状態となるようにしているが、図８に示すように、正面視においてその軸位置を所定寸法だけ横方向にずらすようにしてもよい。このように入力端子１１の軸位置を出力端子１２の軸位置（中心位置）からずらすことにより、テレビ端子１をスイッチボックスに取付けた際に、端子本体１０を回動可能としたこととも相まって、前記スイッチボックスの上面または下面に設けた同軸ケーブルの取り込み口と入力端子１１との間の位置ずれが小さくなるので、前記同軸ケーブルに掛かる負担を軽減するとともに、接続作業性を向上させることが可能となる。
【符号の説明】
【００１８】
１  テレビ端子
１０  端子本体
１１  入力端子
１１ａ  中心導体
１１ｂ  絶縁部材
１１ｃ  外部導体
１２  出力端子
１２ａ  中心導体
１２ｂ  絶縁部材
１２ｃ  外部導体
１３  筐体
１３ａ  開口部
１４  プリント基板
１５  蓋体
１６  突部
１７  溝部
２０  端子台
２１  凹部
２２  挿通孔
２３  係合部
２３ａ，２３ｂ  端部
２４  挿入部
２５  接触部
２６  切欠部
２７  固定部
３０  止め輪（Ｅ形リング）
【図１】
0003230630.tif 000003
【図２】
0003230630.tif 000004
【図３】
0003230630.tif 000005
【図４】
0003230630.tif 000006
【図５】
0003230630.tif 000007
【図６】
0003230630.tif 000008
【図７】
0003230630.tif 000009
【図８】
0003230630.tif 000010